(57)【要約】【課題】従来の架空電線路は架空ケーブルにオフセット部を形成して架空ケーブルの熱による伸び出しを吸収していたが、オフセット部を形成する作業が非常に面倒であるという問題があった。【課題を解決するための手段】  支持柱１と、該支持柱１間に張ったメッセンジャーワイヤー２と、該メッセンジャーワイヤー２に添設されると共にラッシングワイヤー４によってメッセンジャーワイヤー２に一体化された架空ケーブル３とを備えてなる架空電線路において、前記架空ケーブル３はオフセット部が形成されない状態で前記支持柱１間に架設されており、架空ケーブル３を長手方向に蛇行させることによって架空ケーブル３の熱による伸び出しを吸収するように構成したものである。【選択図】  図１
2006087252.tif 000002
【特許請求の範囲】
【請求項１】
支持柱と、該支持柱間に張ったメッセンジャーワイヤーと、該メッセンジャーワイヤーに添設されると共にラッシングワイヤーによってメッセンジャーワイヤーに一体化された架空ケーブルとを備えてなる架空電線路において、前記架空ケーブルはオフセット部が形成されない状態で前記支持柱間に架設されており、架空ケーブルを長手方向に蛇行をさせることによって架空ケーブルの熱による伸び出しを吸収することを特徴とする架空電線路。
【請求項２】
支持柱間に位置したメッセンジャーワイヤー、ラッシングワイヤーおよび架空ケーブルに、これらを一括して把持する拘束具を取付け、該拘束具に位置した架空ケーブル部分を不動点として架空ケーブルを長手方向に蛇行させることを特徴とする請求項１記載の架空電線路。
【請求項３】
支持柱の両側に位置した架空ケーブルの熱による伸び出しに伴う支持柱側に向かって生じる軸力が等しくなるように支持柱の両側に架空ケーブルを架設し、支持柱に位置した架空ケーブル部分を不動点として架空ケーブルを長手方向に蛇行させることを特徴とする請求項１記載の架空電線路。
【請求項４】
支持柱の両側に位置した架空ケーブルの熱による伸び出しに伴う支持柱側に向かって生じる軸力が異なるように支持柱の両側に架空ケーブルを架設し、支持柱部分に位置した架空ケーブルの外周長手方向に所定長のパイプを被せ、パイプ内に位置した架空ケーブル部分を不動点として架空ケーブルを長手方向に蛇行させることを特徴とする請求項１記載の架空電線路。
【発明の詳細な説明】
【技術分野】
【０００１】
本発明は架空電線路に関するものである。
【背景技術】
【０００２】
従来の架空電線路は、特許文献１に記載されているように、支持柱と、該支持柱間に張ったメッセンジャーワイヤーと、該メッセンジャーワイヤーに添設されると共にラッシングワイヤーによってメッセンジャーワイヤーに一体化された架空ケーブルとを備えており、架空ケーブルには、オフセット部が設けられている。
オフセット部は、架空ケーブルの熱による伸び出しを吸収するために形成されるものである。
【０００３】
【特許文献１】特開平９−２３３６６４号公報
【発明の開示】
【発明が解決しようとする課題】
【０００４】
しかしながら、架空電線路にオフセット部を形成するには、支持柱間に架空ケーブルを延線した後、オフセット部を形成するために架空ケーブルを引き戻す作業等が必要になり、該オフセット部を形成する作業が非常に面倒であるという問題があった。
【課題を解決するための手段】
【０００５】
本発明は、上記問題点を解決した架空電線路を提供するもので、請求項１記載の発明は、支持柱と、該支持柱間に張ったメッセンジャーワイヤーと、該メッセンジャーワイヤーに添設されると共にラッシングワイヤーによってメッセンジャーワイヤーに一体化された架空ケーブルとを備えてなる架空電線路において、前記架空ケーブルはオフセット部が形成されない状態で前記支持柱間に架設されており、架空ケーブルを長手方向に蛇行させることによって架空ケーブルの熱による伸び出しを吸収することを特徴とする架空電線路である。
【０００６】
また請求項２記載の発明は、支持柱間に位置したメッセンジャーワイヤー、ラッシングワイヤーおよび架空ケーブルに、これらを一括して把持する拘束具を取付け、該拘束具に位置した架空ケーブル部分を不動点として架空ケーブルを長手方向に蛇行させることを特徴とする請求項１記載の架空電線路である。
【０００７】
更に請求項３記載の発明は、支持柱の両側に位置した架空ケーブルの熱による伸び出しに伴う支持柱側に向かって生じる軸力が等しくなるように支持柱の両側に架空ケーブルを架設し、支持柱に位置した架空ケーブル部分を不動点として架空ケーブルを長手方向に蛇行させることを特徴とする請求項１記載の架空電線路である。
【０００８】
更に請求項４記載の発明は、支持柱の両側に位置した架空ケーブルの熱による伸び出しに伴う支持柱側に向かって生じる軸力が異なるように支持柱の両側に架空ケーブルを架設し、支持柱部分に位置した架空ケーブルの外周長手方向に所定長のパイプを被せ、パイプ内に位置した架空ケーブル部分を不動点として架空ケーブルを長手方向に蛇行させることを特徴とする請求項１記載の架空電線路である。
【発明の効果】
【０００９】
本発明は以下のような効果がある。
請求項１に係る架空電線路のように、架空ケーブルを、オフセット部が形成されない状態で支持柱間に架設し、架空ケーブルを長手方向に蛇行させることによって架空ケーブルの熱による伸び出しを吸収するように構成すると、オフセット部形成のための作業が不要となり、架空電線路の形成が容易となる。
【００１０】
また請求項２に係る架空電線路のように、支持柱間に位置したメッセンジャーワイヤー、ラッシングワイヤーおよび架空ケーブルに、これらを一括して把持する拘束具を取付け、該拘束具に位置した架空ケーブル部分を不動点として架空ケーブルが長手方向に蛇行するように構成すると、メッセンジャーワイヤー、ラッシングワイヤーおよび架空ケーブル相互が線路方向に動くのを防止して、架空ケーブルを長手方向に容易に蛇行させることができ、架空ケーブルの熱による伸び出しを容易に吸収することができる。
【００１１】
更に請求項３に係る架空電線路のように、支持柱の両側に位置した架空ケーブルの熱による伸び出しに伴う支持柱側に向かって生じる軸力が等しくなるように支持柱の両側に架空ケーブルを架設し、支持柱に位置した架空ケーブル部分を不動点として架空ケーブルが長手方向に蛇行するように構成すると、拘束具を必要としないで容易に架空ケーブルの熱による伸び出しを吸収することができる。
【００１２】
更に請求項４記載に係る架空電線路のように、支持柱の両側に位置した架空ケーブルの熱による伸び出しに伴う支持柱側に向かって生じる軸力が異なるように支持柱の両側に架空ケーブルを架設し、支持柱部分に位置した架空ケーブルの外周長手方向に所定長のパイプを被せ、パイプ内に位置した架空ケーブル部分を不動点として架空ケーブルが長手方向に蛇行するように構成すると、支持柱の両側に位置した架空ケーブルの熱による伸び出しを考慮しないで架空ケーブルを架設する事が出来るので架空ケーブルの架設が容易になり、また不動点に位置した架空ケーブルに座屈を生じさせないという効果がある。
【発明を実施するための最良の形態】
【００１３】
以下、本発明を実施するための最良の形態実施につき、図を参照して詳細に説明する。
図１は、本発明に係る架空電線路の概略構成図である。図において、１は支持柱、２はメッセンジャーワイヤー、３は架空ケーブル、４はラッシングワイヤーである。
【００１４】
支持柱１は所定間隔を開けて複数本設けられており、該支持柱１間にはメッセンジャーワイヤー２が張り渡されている。メッセンジャーワイヤー２は鋼撚線等で形成されており、該メッセンジャーワイヤー２には架空ケーブル３が添設されている。架空ケーブル３は、導体上に絶縁層やシース等を被覆した単心ケーブルを3本束ねたものである。３本の単心ケーブルは緩く撚り合わされることによって束ねられている。メッセンジャーワイヤー２と架空ケーブル３とはラッシングワイヤー４によって一体化されている。
【００１５】
上記構成は従来の架空電線路と同様の構成であるが、本発明に係る架空電線路は、架空ケーブル３を略直線状に張って、線路の長手方向にオフセット部が形成されていない点に特徴がある。なお本発明においてオフセット部が形成されないとは、支持柱部分において架空ケーブルが若干たるんで敷設される場合を含むものである。すなわち支持柱の部分に位置した架空ケーブルは、メッセンジャーワイヤーと離されて敷設されるので完全な直線上にならずたるんで架設されるが、これは架空ケーブルの熱による伸び出しを考慮したオフセットではないので、本発明の、架空ケーブルはオフセット部が形成されない状態で支持柱間に架設されている、という概念に含まれるものである。また支持柱1間の中央部付近に位置した架空ケーブル３も自重等で若干垂れ下がるが、このような垂れ下がりも上述の架空ケーブル３を略直線状に張るという概念に含まれるものである。このような支持柱1間の中央部付近に位置した架空ケーブル３の自重等による垂れ下がりは、例えば夏のような高温期にケーブルを布設した場合、冬の低温期にケーブルが収縮することがあるが、このケーブル収縮を吸収するという効果がある。
【００１６】
図１に示すように、架空ケーブル３は支持柱1間に略直線状に張られており、オフセット部が形成されていない。このようにオフセット部を形成しない場合には、架空ケーブルの熱伸縮、特に架空ケーブルの熱による伸び出しが問題となる。
【００１７】
本発明は、架空ケーブルの熱による伸び出しを、従来のようにオフセット部で吸収するのではなく、架空ケーブルの長手方向に蛇行を生じさせることによって吸収するものである。
すなわち図１の架空電線路のように、架空ケーブルにオフセット部を形成しないで架空ケーブルを架設し、架空ケーブルを長手方向に蛇行させることによって架空ケーブルの熱による伸び出しを吸収するものである。
【００１８】
なお図１において符号３０は、架空ケーブル３とメッセンジャーワイヤー２との分離位置に取付けられた分離金具である。この分離金具は架空ケーブルが線路方向に動くのを許容し架空ケーブルを拘束していないものである。この分離金具は無くてもよい。
【００１９】
図２は本発明の他の実施形態を示すもので、前記実施形態と異なる点は、支持柱間に位置したメッセンジャーワイヤー、ラッシングワイヤーおよび架空ケーブルに、これらを一括して把持固定する拘束具１０を取付けた点である。
【００２０】
図２における拘束具１０は、支持柱１の両側に位置したメッセンジャーワイヤー２、ラッシングワイヤー４および架空ケーブル３を一括して把持固定している。拘束具１０の構造は、メッセンジャーワイヤー２、ラッシングワイヤー４および架空ケーブル３を一括して把持固定できる構造であればよく、特に限定するものではない。例えば２つ割の部材でメッセンジャーワイヤー２、ラッシングワイヤー４および架空ケーブル３を一括して把持し、該２つ割の部材をボルト・ナットで締付けることによって、メッセンジャーワイヤー２、ラッシングワイヤー４および架空ケーブル３を一括把持固定することができる。
【００２１】
上記のように、支持柱間に位置したメッセンジャーワイヤー２、ラッシングワイヤー４および架空ケーブル３に、これらを一括して把持固定する拘束具１０を取付けると、架空ケーブル３に熱による伸び出しが生じた場合、該拘束具に位置した架空ケーブル部分を不動点として架空ケーブル１を長手方向に蛇行させることができる。したがって架空ケーブルの熱による伸び出しを容易に吸収することができるものである。
【００２２】
なお拘束具１０の取付け個数や、取付け間隔は、架空ケーブルの長さ等を考慮して適宜選定するものである。
【００２３】
図３は本発明の更に他の実施形態を示すもので、前記実施形態と異なる点は、支持柱１の両側に位置した架空ケーブル３の熱による伸び出しに伴う支持柱側に向かって生じる軸力Ａ，Ｂが等しくなるように支持柱１の両側に架空ケーブル３を架設した点である。
【００２４】
このようにし、軸力Ａ，Ｂが等しくなるように支持柱１の両側に架空ケーブル３を架設すると、軸力Ａ，Ｂが等しくなる架空ケーブル部分が不動点となり、架空ケーブル１が熱によって伸び出した際、前記不動点が基点となって架空ケーブル１が長手方向に蛇行し、これによって架空ケーブル１の熱による伸び出しを吸収することができる。
【００２５】
図４は本発明の更に他の実施形態を示すもので、前記実施形態と異なる点は、支持柱１の両側に位置した架空ケーブル３の熱による伸び出しに伴う支持柱側に向かって生じる軸力Ａ，Ｂが異なるように支持柱１の両側に架空ケーブル３を架設し、かつ支持柱１部分に位置した架空ケーブル３の外周長手方向に所定長のパイプ２０を被せた点である。なお、パイプ２０は支持柱１に固定してある。
【００２６】
上記のように、支持柱の両側に位置した架空ケーブルの熱による伸び出しに伴う支持柱側に向かって生じる軸力が異なるように支持柱の両側に架空ケーブルを架設すると、架空ケーブルの架設が容易になるというを効果がある。また支持柱部分に位置した架空ケーブルの外周長手方向に所定長のパイプを被せると、熱による伸び出しに伴ってパイプ２０内を架空ケーブルが長手方向に移動し、軸力が釣り合った点で変形してパイプの内壁にあたり、該位置が不動点となって架空ケーブルの長手方向に蛇行を生じさせることができる。したがって容易に架空ケーブルの熱による伸び出しを吸収することができる。更に不動点に位置した架空ケーブルはパイプ２０によって過度の曲がりが規制されているので、不動点となった架空ケーブルに座屈を生じさせないという効果がある。
【００２７】
なお架空ケーブルに不動点を形成する手段は、前記各実施形態に限定されるものではなく、例えば、支持柱１に位置した架空ケーブル３に把持具等を固定し、該把持具等を支持柱１に固定することにより、該固定した架空ケーブル３の部分を不動点としてもよい。
【図面の簡単な説明】
【００２８】
【図１】本発明に係る架空電線路の一実施形態を示す概略構成図、
【図２】本発明の他の実施形態を示す要部構成図、
【図３】本発明の更に他の実施形態を示す要部構成図
【図４】本発明の更に他の実施形態を示す要部構成図
【符号の説明】
【００２９】
１            支持柱
２            メッセンジャーワイヤー
３            架空ケーブル
４            ラッシングワイヤー
１０          拘束具
２０          パイプ  
３０          分離金具
【図１】
2006087252.tif 000003
【図２】
2006087252.tif 000004
【図３】
2006087252.tif 000005
【図４】
2006087252.tif 000006